(57)【要約】【課題】放射線科全体効率を高めると共に、部位取り違えを予防可能とすること。【解決手段】制御装置と撮影装置がネットワークを介して接続されている画像生成システムにおいて、撮影装置は、乳房画像が撮影される度に当該撮影に関する撮影実施情報を生成して制御装置に送信し、制御装置は、撮影オーダ情報を記憶する記憶部、撮影実施情報を受信する通信部、乳房画像の撮影に用いるカセッテＩＤを取得すると共に、撮影オーダ情報とカセッテＩＤとが対応付けられて記憶されてからカセッテＩＤに対応するカセッテを用いて乳房画像が撮影された際に生成され撮影装置から送信される撮影実施情報を受信するまで撮影オーダ情報とカセッテＩＤとの対応付けを禁止させるか否かの指示を受け付ける入力部、入力部により選択された指示に応じて撮影オーダ情報とカセッテＩＤとの対応付けを制御する制御部を備える。【選択図】図４
2008073468.tif 000002
【特許請求の範囲】
【請求項１】
撮影オーダ情報を撮影に使用するカセッテの識別情報と対応付けて記憶する少なくとも一つの制御装置と、前記カセッテを用いて患者の医用画像を撮影する少なくとも一つの撮影装置と、がネットワークを介して接続されている画像生成システムにおいて、
前記撮影装置は、
前記医用画像が撮影される度に当該撮影に関する撮影実施情報を生成する撮影実施情報生成手段と、
前記撮影実施情報生成手段により生成された前記撮影実施情報を前記制御装置に送信する送信手段と、
を備え、
前記制御装置は、
前記撮影オーダ情報を記憶する記憶手段と、
前記医用画像の撮影に用いる前記カセッテの識別情報を取得する識別情報取得手段と、
前記記憶手段に記憶されている前記撮影オーダ情報と、前記識別情報取得手段により取得された前記識別情報とを対応付けて前記記憶手段に記憶させる登録手段と、
前記撮影装置から送信される前記撮影実施情報を受信する受信手段と、
前記登録手段により前記撮影オーダ情報と前記識別情報とが対応付けられて記憶された後、当該識別情報に対応するカセッテを用いて医用画像が撮影された際に生成され前記撮影装置から送信される前記撮影実施情報を前記受信手段により受信するまで、前記登録手段による前記撮影オーダ情報と前記識別情報との対応付けを禁止させるか否かの指示を受け付ける選択手段と、
前記選択手段により選択された指示に応じて、前記登録手段による前記撮影オーダ情報と前記識別情報との対応付けを制御する制御手段と、
を備えること、
を特徴とする画像生成システム。
【請求項２】
前記撮影装置は、
前記医用画像として乳房画像を撮影する放射線画像撮影装置であること、
を特徴とする請求項１記載の画像生成システム。
【請求項３】
前記撮影実施情報は、
前記患者に対して放射線の曝射完了を示す曝射完了信号を含むこと、
を特徴とする請求項２記載の画像生成システム。
【発明の詳細な説明】
【技術分野】
【０００１】
本発明は、患者を撮影して医用画像を生成する画像生成システムに関する。
【背景技術】
【０００２】
近年、検査撮影等により得られた医用画像のデジタル化が実現されており、コンピュータ放射線画像撮影装置（以下、ＣＲ（Computed Radiography）装置という）等の撮影装置によりデジタル画像データを得ると、通信ネットワークを介して各種装置に配信する画像生成システムが利用されている。
【０００３】
このような画像生成システムは、例えば、被写体を透過した放射線を輝尽性蛍光体層が形成された蛍光体プレートを収容した持ち運び可能なカセッテを用いて患者の医用画像を撮影する複数の撮影装置、カセッテに記録された医用画像を読み取る複数の読取装置、これら撮影装置や読取装置により生成された医用画像を管理する複数の制御装置と、放射線科内情報システムＲＩＳ（Radiology Information System）や病院内情報システムＨＩＳ（Hospital Information System）とが、ネットワークを介して接続されたいわゆる分散処理システムが開示されている（特許文献１参照）。
このシステムは、複数の技師が、複数撮影（撮影の患者及び／又は複数の部位（方向含む）に対応した複数の撮影）を同時進行可能であり、比較的規模の大きな放射線科にて使用される場合が多い。
【０００４】
上記の分散処理システムにおける技師のワークフローの例としては、まず、撮影前に予めＨＩＳ／ＲＩＳにおいて医師からの依頼により撮影オーダ情報（撮影対象の患者、撮影部位、撮影方法等を指示する指示情報）が発行され制御装置に送信される。そして、技師は、複数の制御装置に撮影オーダ情報が表示されると、任意の制御装置から、表示された撮影オーダ情報のなかから自分が撮影を実行する撮影オーダ情報を選択し、当該撮影オーダ情報に、撮影に使用するカセッテのＩＤ情報を対応付けるカセッテ登録処理（前登録処理）を行うが、一般的には胸部撮影に於ける正面・側面のように、一度に複数の撮影を行うことが多く、従って、複数のカセッテ登録処理を行うのが常となっている。
このカセッテ登録処理後、技師はカセッテと共に撮影室に移動し、患者の撮影を行い、撮影終了後、当該カセッテ登録処理を行った制御装置まで戻り、画像が送信されるのを待つこととなる。
【０００５】
上記の分散処理システム下、乳房撮影装置で処理を行う場合、乳房画像は高精細モードで画像読取される（一般撮影よりも小サイズ画素での読取）為、ネットワークを飛び交うデータ量が増える。特に、位相コントラスト乳房撮影装置を用いた場合、データ量が増加するので、分散処理システム全体のネットワークビジーを招かないよう、乳房撮影を使用する場合には、複数の制御装置及び複数の読取装置のなかから特定の制御装置と特定の読取装置の組合せで使用するようネットワーク構成を可変し、乳房撮影を終えた後、一般撮影用に任意の読取装置が任意の制御装置と接続可能な上記分散処理システムに切替可能とするシステムが開示されている（特許文献２参照）。
【特許文献１】特開２００２−１５９４７６号公報
【特許文献２】特開２００５−２７７９２２号公報
【発明の開示】
【発明が解決しようとする課題】
【０００６】
乳房画像の撮影を行う場合、１人の患者に対し上下方向左乳房・上下方向右乳房・斜位方向左乳房・斜位方向右乳房の４撮影を行う場合が一般的である。この場合、撮影前に、４枚全てのカセッテ登録処理を行うことが想定されるが、途中でカセッテを落としたりすると、実際の撮影オーダ情報に登録したカセッテとは異なるカセッテを撮影に使用してしまい、部位をとり違えてしまうことが起こる。乳房画像の場合、上下方向の乳房画像は、画像を見ただけでは、左右の判別は不可能であり、部位取り違えに気づかぬまま、正常な乳房を手術してしまう恐れがある。
この取り違えの恐れが無いよう細心の注意を払えば、複数のカセッテ登録処理を一括して実行することは可能である。（使用するカセッテサイズが異なれば使用ミスが生じ難いことは容易に想像されよう。）
技師が1人で撮影を行う時は、技師は、撮影室の前室等に設置された制御装置で１枚以上のカセッテ登録処理を行い、Ｘ線源および乳房撮影装置が設置された撮影室（通常は鉛等でシールドされた部屋）に移動して、ポジショニングを終え、Ｘ線を照射する。この撮影を全て終了、或いは、個々の撮影終了毎に撮影室から読取装置まで移動し、撮影済みカセッテから画像読取を開始する。
更に、ミスを完全に防ぎたい技師の場合、カセッテ登録処理自体を撮影の都度行うことも想定される。
【０００７】
一方、前述するような必要作業を、患者ポジショニングを中心とする撮影室内作業と、カセッテ登録処理／画像確認処理等の撮影室外作業とに分け、前者を特定の技師（例えば、女性の技師）とし、後者を、一般撮影用分散処理に慣れた一般の技師がサポートする分業化で、撮影全体の効率化をはかることが想定される。
この場合、後者の技師（以下、サポート技師）が、１人の被写体の複数の撮影オーダ情報のなかから一の撮影オーダ情報（例えば上下方向左乳房）を選択し、まず１枚のカセッテを対応付け（カセッテ登録処理）、登録済みのカセッテを特定の技師に渡す。特定の技師は、受取ったカセッテを用いて当該撮影オーダ情報に対応する撮影（上下方向左乳房）を実施する。この場合、サポート技師は、複数の撮影オーダ情報に対するカセッテ登録に慣れているので、次の撮影オーダ情報（例えば、上下方向右乳房）を選択して、カセッテ登録処理を実行し、待機する。
【０００８】
この場合、撮影装置と制御装置とが連携し情報交換を行う、例えば、撮影装置が撮影実施結果を制御装置に送信し、制御装置は撮影実施結果を撮影オーダ情報と対応付ける処理方法が考えられる。撮影装置は撮影実施情報（上下方向左乳房）を制御装置に送信し、制御装置は、上下方向左乳房という撮影オーダ情報に撮影実施結果（上下方向左乳房）が対応付けられることになるが、サポート技師が次の撮影オーダ情報（上下方向右乳房）を選択し、カセッテ登録処理を行うと、この間に撮影装置から送信され、撮影実施結果（本来は上下方向左乳房）は、選択中の次の撮影オーダ情報（上下方向右乳房）と対応付けられ、左右乳房の取り違えを生じる恐れがあり好ましく無い。
【０００９】
本発明の課題は、上記課題に鑑み、撮影装置と制御装置との連携の為、制御装置における複数の撮影オーダ情報選択を受け付けないモード、及び、撮影全体のフロー効率化（作業動線短縮化）の為の制御装置における複数の撮影オーダ情報選択を許容するモード、の両方を適宜選択可能とし、撮影態様（一般撮影又は乳房撮影）に応じて、適宜相応しいモードを選択可能として、放射線科全体効率を高めると共に、部位取り違えを予防可能とすることである。
【課題を解決するための手段】
【００１０】
請求項１に記載の発明は、撮影オーダ情報を撮影に使用するカセッテの識別情報と対応付けて記憶する少なくとも一つの制御装置と、前記カセッテを用いて患者の医用画像を撮影する少なくとも一つの撮影装置と、がネットワークを介して接続されている画像生成システムにおいて、前記撮影装置は、前記医用画像が撮影される度に当該撮影に関する撮影実施情報を生成する撮影実施情報生成手段と、前記撮影実施情報生成手段により生成された前記撮影実施情報を前記制御装置に送信する送信手段と、を備え、前記制御装置は、前記撮影オーダ情報を記憶する記憶手段と、前記医用画像の撮影に用いる前記カセッテに予め設定されている識別情報を取得する識別情報取得手段と、前記記憶手段に記憶されている前記撮影オーダ情報と、前記識別情報取得手段により取得された前記識別情報とを対応付けて前記記憶手段に記憶させる登録手段と、前記撮影装置から送信される前記撮影実施情報を受信する受信手段と、前記登録手段により前記撮影オーダ情報と前記識別情報とが対応付けられて記憶された後、当該識別情報に対応するカセッテを用いて医用画像が撮影された際に生成され前記撮影装置から送信される前記撮影実施情報を前記受信手段により受信するまで、前記登録手段による前記撮影オーダ情報と前記識別情報との対応付けを禁止させるか否かの指示を受け付ける選択手段と、前記選択手段により選択された指示に応じて、前記登録手段による前記撮影オーダ情報と前記識別情報との対応付けを制御する制御手段と、を備えること、を特徴としている。
【００１１】
請求項２に記載の発明は、請求項１記載の画像生成システムにおいて、前記撮影装置は、前記医用画像として乳房画像を撮影する放射線画像撮影装置であること、を特徴としている。
【００１２】
請求項３に記載の発明は、請求項２記載の画像生成システムにおいて、前記撮影実施情報は、前記患者に対して放射線の曝射完了を示す曝射完了信号を含むこと、を特徴としている。
【発明の効果】
【００１３】
請求項１に記載の発明によれば、撮影オーダ情報とカセッテの識別情報とが対応付けられて記憶された後、当該カセッテの識別情報に対応するカセッテを用いて医用画像が撮影された際に生成され撮影装置から送信される撮影実施情報を受信するまで、撮影オーダ情報とカセッテの識別情報との対応付けを禁止させることができるため、カセッテの取間違えを防止でき、撮影装置と制御装置との連携の為、制御装置における複数の撮影オーダ情報選択を受け付けないモード、及び、撮影全体のフロー効率化（作業動線短縮化）の為の制御装置における複数の撮影オーダ情報選択を許容するモード、の両方が適宜選択可能となり、撮影態様に応じて適宜相応しいモードを選択でき、放射線科全体効率を高めると共に、部位取り違えを予防可能とすることができる。
【００１４】
請求項２に記載の発明によれば、請求項１と同様の効果を得られるのは勿論のこと、撮影装置の担当と制御装置の担当との２人の撮影技師により、一人の患者に対して複数の部位を撮影する乳房画像の撮影を行う場合、撮影画像からではカセッテの取り違いを判別しにくい左右の乳房画像において撮影順番とカセッテの使用順番を間違えると、カセッテの取り違いに気付かずに、部位取り違えの手術等の処置が行われるという恐れを防止でき、画像生成システムの信頼性の低下を防止できる。
【００１５】
請求項３に記載の発明によれば、請求項２と同様の効果を得られるのは勿論のこと、患者に対して放射線の曝射完了を示す曝射完了信号を受信するまで、即ち、確実に乳房画像の撮影が終了するまで、他の撮影オーダ情報と他のカセッテの識別情報との対応付けを禁止することができ、誤って撮影前に他の撮影オーダ情報と他のカセッテの識別情報との対応付けが行われることを防止でき、部位取り違えを未然に防止することができる。
【発明を実施するための最良の形態】
【００１６】
以下、図を参照して本発明の実施の形態を詳細に説明する。
まず、構成を説明する。
図１に、本実施の形態における画像生成システム１のシステム構成を示す。
【００１７】
図１に示すように、画像生成システム１は、複数の撮影装置１０、複数の読取装置２０、複数の制御装置３０から構成されており、各装置は通信ネットワークＮを介して接続されている。また、画像生成システム１は、ＨＩＳ（Hospital Information System；病院情報システム）４０やＲＩＳ（Radiology Information System；放射線情報科情報システム）５０と通信ネットワークＮを介して接続されている。
【００１８】
撮影装置１０は、患者を被写体として医用画像の撮影を行う装置であり、例えば、ＣＴ（Computed Tomography）装置やＣＲ（Computed Radiography）装置、ＭＲＩ（Magnetic Resonance Imaging）装置等である。
本実施の形態の撮影装置１０としては、患者の乳房を被写体とし、当該被写体を透過した放射線を輝尽性蛍光体層が形成された蛍光体プレートを収容した持ち運び可能なカセッテを用いて患者の乳房の放射線画像（以下、乳房画像）を撮影する乳房撮影装置として説明する。
【００１９】
読取装置２０は、カセッテに記録された医用画像（乳房画像）を読み取る装置である。読取装置２０は、カセッテの性蛍光体プレートに励起光を照射し、これによりプレートから発光される輝尽光を光電変換し、得られた画像信号をＡ／Ｄ変換して、デジタルデータの乳房画像を取得する。また、読取装置２０は、カセッテに予め付帯されたカセッテを識別する識別情報としてのカセッテＩＤを読み取り、デジタルデータの乳房画像と、カセッテＩＤ及び自装置の識別情報とを対応付けて制御装置３０に送信する。
【００２０】
制御装置３０は、ＨＩＳ４０やＲＩＳ５０から配信された撮影オーダ情報に従って、読取装置２０の乳房画像の読取動作を制御、例えば、一般撮影カセッテ読取時には読取画素サイズ８７．５[μｍ]、乳房撮影カセッテ読取時には４３．７５[μｍ]、に画素サイズの切替等を行い、各読取装置２０により読み取られた乳房画像のデジタルデータを取得して当該取得された乳房画像と管理している撮影オーダ情報とを対応付けて画像管理を行う装置である。
【００２１】
ＨＩＳ４０やＲＩＳ５０は、医師から指示された撮影オーダ情報を一括して管理しているシステムであり、制御装置３０からの要求指示に応じて、撮影オーダ情報を抽出し、制御装置３０に抽出した撮影オーダ情報を送信する。
【００２２】
通信ネットワークＮは、ＬＡＮ（Local Area Network）やＷＡＮ（Wide Area Network）、インターネットなどの様々な回線形態を適用可能である。なお、病院などの医療機関内で医療機器に支障のある無線ＬＡＮなどを除く。しかし、許可されるのであれば、無線通信や赤外線通信であってもよいが、撮影オーダ情報を送受信する際には重要な患者情報を含むため、撮影オーダ情報は暗号化することが好ましい。
【００２３】
図２に、撮影装置１０の内部構成を示す。
図２に示すように、撮影装置１０は、制御部１１、記憶部１２、入力部１３、表示部１４、通信部１５、ＩＤ読取部１６、撮影部１７から構成されており、各部は電気的に接続されている。
【００２４】
制御部１１は、ＣＰＵ（Central Processing Unit）等から構成され、記憶部１２から各種処理プログラムを読み出して当該プログラムとの協働により、例えば放射線源における放射線照射タイミングや曝射量の調整、撮影部１７の回転制御等、撮影装置１０の各部の撮影動作を統括的に制御する。また、制御部１１は、乳房画像が撮影される度に、当該撮影に関する撮影実施情報を生成する撮影実施情報生成手段としての機能を実現し、撮影時に読み取られたカセッテのカセッテＩＤを生成された撮影実施情報に含めて通信部１５を介して制御装置３０に送信させるよう制御する。
【００２５】
撮影実施情報としては、撮影部１７における乳房画像の撮影の実施結果、例えば、放射線源における管電圧（単位；ｋＶ）、管電流（単位；ｍＡ）の値、積放射線曝射量（管電流値と曝射時間（秒）との積）（単位；ｍＡｓ）、圧迫板による圧迫圧（圧迫板の移動距離）（単位；ｍｍ）、文字コードで示された撮影部位方向（最初の文字コードで撮影部位（Ｒ；右乳房、Ｌ；左乳房）を示す。次の文字コードで撮影方向（ＣＣ；上下方向、Ｍ；内外方向、ＭＬＯ；斜位方向）を示す。）、撮影毎の患者に対する放射線の曝射完了を示す曝射完了信号等の各種情報である。
【００２６】
記憶部１２は、ＲＡＭ（Random Access Memory）やＲＯＭ（Read Only Memory）から構成され、乳房画像の撮影処理等の各種プログラムを格納する。また、制御部１１による処理結果を一時記憶したり、撮影実施情報等の各種情報を記憶する。
【００２７】
入力部１３は、各種撮影条件を入力するためのキーを備えて構成され、操作されたキーに対応する操作信号を制御部１１に出力する。例えば、管電圧、管電流の値、撮影部１７の回転角度の値を入力するための数字キー等の各種キーを備える。
【００２８】
表示部１４は、ＬＣＤ（Liquid Crystal Display）等からなる表示ディスプレイを備えて構成され、入力部１３からの入力情報、制御部１１による処理結果などの各種表示情報を表示ディスプレイに表示する。
【００２９】
通信部１５は、ネットワークインターフェイスカード（以下、ＮＩＣ；Network Interface Cardという。）やモデム等の通信インターフェイスを備えて構成される。すなわち、通信部１５により制御装置３０に接続して撮影後にカセッテＩＤ及び曝射完了信号を含む撮影実施情報を送信することにより、送信手段を実現することができる。
【００３０】
ＩＤ読取部１６は、カセッテＩＤを読み取る手段である。ＩＤ読取部１６は、バーコードスキャナ等を備えて構成され、撮影技師により撮影が指示されると自動的にカセッテＩＤの読取を開始し、撮影台に装着されたカセッテのＩＤ部を光走査してＩＤ部に表示されたバーコードを読み取り、そのデータを制御部１１に出力する。なお、本実施の形態では、カセッテＩＤをバーコードを用いて読み取る構成としたが、これに限らず、例えばカセッテＩＤのデータを記憶する無線ＩＣタグをカセッテに貼付して、ＩＤ読取部１６を無線ＩＣタグに記憶されたカセッテＩＤのデータを読み出し可能な構成としてもよく、その他の読取方式を採用することとしてもよい。
【００３１】
撮影部１７は、放射線を発生する放射線源と、乳房を載置するための撮影台とが対向配置され、撮影台に載置された乳房を挟み込むことにより乳房を圧迫するための圧迫板が備えられている。撮影部１７は、撮影台の上部にカセッテを装着可能に構成されており、撮影台にはカセッテを固定するためのカセッテホルダが備えられている。カセッテは、蛍光体プレートを内蔵して被写体を透過した放射線を吸収し、その放射線画像を記録するものである。カセッテとしては、カセッテの被写体に接する一辺が被写体の胸壁ぎりぎりまで撮影できるように構成されている乳房撮影専用のものが好ましい。
【００３２】
図３に、制御装置３０の内部構成を示し、制御装置３０について説明する。
図３に示すように、制御装置３０は、制御部３１、記憶部３２、ＲＡＭ３３、入力部３４、表示部３５、通信部３６から構成されており、各部は電気的に接続されている。
【００３３】
制御部３１は、ＣＰＵ等から構成され、記憶部３２に格納されるシステムプログラムの他、本発明に係る前登録処理プログラム（図４参照）等をＲＡＭ３３に展開して、当該プログラムとの協働により処理動作を統括的に制御する。
【００３４】
前登録処理は、撮影前に入力部３４を介して一人用モード又は二人用モードの指示が受け付けられ、指示されたモードに応じて、カセッテ登録処理を行う登録手段及び制御手段としての機能を実現する。
【００３５】
カセッテ登録処理は、入力部３４を介して撮影オーダ情報が選択され、当該撮影オーダ情報に応じて乳房画像の撮影に用いるカセッテのカセッテＩＤが入力されると、撮影オーダ情報と当該カセッテＩＤとを対応付けて記憶部３２のオーダファイル３２ａに記憶させる処理である。
【００３６】
一人用モードは、撮影オーダ情報とカセッテＩＤとか対応付けられてオーダファイル３２ａに記憶された後、当該カセッテＩＤに対応するカセッテを用いて乳房画像が撮影された際に生成され撮影装置１０から送信される撮影実施情報を通信部３６により受信するか否かに拘らず、カセッテ登録処理を許容するモードである。
【００３７】
二人用モードは、撮影オーダ情報とカセッテＩＤとか対応付けられてオーダファイル３２ａに記憶された後、当該カセッテＩＤに対応するカセッテを用いて乳房画像が撮影された際に生成され撮影装置１０から送信される撮影実施情報を通信部３６により受信するまでの間、新たなカセッテ登録処理を禁止させるモードである。
【００３８】
記憶部３２は、磁気的又は光学的記憶媒体、若しくは半導体メモリで構成され、各種プログラムの他、前登録処理プログラム及び各プログラムで処理されたデータ等を記憶する。
【００３９】
また、記憶部３２は、撮影オーダ情報を記憶する記憶手段であり、撮影オーダ情報を更新可能に格納するオーダファイル３２ａと、乳房画像に撮影オーダ情報及び撮影実施情報を対応付けて格納する画像ＤＢ３２ｂとを備えている。
【００４０】
オーダファイル３２ａには、撮影オーダ情報を個別に識別するための識別情報（オーダＩＤ）毎に、撮影オーダ情報を格納する。撮影オーダ情報には、撮影対象の患者の患者ＩＤ、氏名等の患者に関する情報（患者情報）、撮影部位方向、撮影日等の撮影に関する情報（撮影情報）等が含まれている。また、各撮影オーダ情報には、撮影オーダ情報の撮影に用いられたカセッテのカセッテＩＤ、撮影実施情報が対応付けられている。
【００４１】
ＲＡＭ３３は、制御部３１によって実行される各種プログラム及びこれらプログラムに係るデータを一時的に記憶するワークエリアを形成する。
【００４２】
入力部３４は、数字キー、文字キー、各種機能キーを含むキーボードや、表示部３５と一体型に構成されるタッチパネルにより構成され、操作されたキーに対応する操作信号を制御部３１に出力する。
【００４３】
また、入力部３４は、各種機能キーを含むキーボードやタッチパネルをユーザが操作することによりカセッテＩＤを取得する識別情報取得手段としての機能を実現する。なお、制御装置３０にバーコードリーダを備えてカセッテのＩＤ部を読み取ることによりカセッテＩＤを取得することとしてもよい。
【００４４】
更に、入力部３４は、各種機能キーを含むキーボードやタッチパネルをユーザが操作することにより一人用モード又は二人用モードの選択指示を受け付ける選択手段としての機能を実現する。
【００４５】
表示部３５は、ＬＣＤやＣＲＴ（Cathode Ray Tube）等を備えて構成され、撮影オーダ情報のリスト画面や、乳房画像、撮影オーダ情報及び撮影実施情報の対応関係を確認するための確認画面等の各種操作画面、制御部３１による処理結果等の各種表示情報を表示する。
【００４６】
通信部３６は、ＮＩＣ、モデム等により構成され、外部機器との情報の送受信を行う。例えば、撮影前にはＨＩＳ４０やＲＩＳ５０から撮影オーダ情報を受信し、撮影後には撮影装置１０から撮影実施情報を受信する受信手段として機能すると共に、読取装置２０から乳房画像及び乳房画像に対応付けられたカセッテＩＤを受信する。
【００４７】
次に、本実施の形態の動作を説明する。
図４に、本実施の形態における前登録処理のフローチャートを示す。
【００４８】
まず、制御装置３０において、撮影技師が入力部３４を介して一人用モード又は二人用モードの選択指示を入力することにより、モードが受け付けられる（ステップＳ１）。そして、オーダファイル３２ａに格納された撮影オーダ情報に基づいて、表示部３５に撮影予定の患者がリスト表示される。リスト表示された患者のうち、撮影技師が入力部３４を介して撮影対象の患者を選択入力すると、表示部３５に選択された患者に対応する撮影オーダ情報がリスト表示される（ステップＳ２）
【００４９】
リスト表示された撮影オーダ情報からカセッテと対応付ける撮影オーダ情報の選択指示を撮影技師が入力部３４を介して入力して撮影オーダ情報が選択され（ステップＳ３）、また、選択された撮影オーダ情報に応じて患者の撮影に使用するカセッテのカセッテＩＤを撮影技師が入力部３４を介して入力してカセットＩＤが取得される（ステップＳ４）。
【００５０】
制御装置３０は、選択された撮影オーダ情報と、取得されたカセットＩＤとを対応付けてオーダファイル３２ａに格納する（ステップＳ５）。カセットＩＤが対応付けられた撮影オーダ情報は、通信部３６を介して送信される（ステップＳ６）。
【００５１】
そして、撮影オーダ情報が対応付けたれたカセッテは、撮影装置１０が設置されている撮影室に搬送され、撮影装置１０の撮影部１７の撮影台上に装着される。また当該カセッテに対応付けられた撮影オーダ情報が撮影装置１０の表示部１４に表示される（ステップＳ７）。
【００５２】
撮影装置１０では、撮影オーダ情報に応じて撮影技師が被写体である患者を撮影位置に立たせて撮影対象の撮影部位及び撮影方向を調整後、入力部１３を介して撮影指示を入力する。撮影装置１０は、入力された撮影指示に応じて、放射線を照射して撮影処理を実行する（ステップＳ８）。
【００５３】
撮影後、撮影装置１０は、曝射完了信号を含む撮影実施情報を生成し、制御装置３０に生成した撮影実施情報を送信する（ステップＳ９）。
【００５４】
一方、制御装置３０は、撮影オーダ情報を撮影装置１０に送信した後（ステップＳ６後）、カセッテの前登録処理の終了指示が入力部３４を介して入力されたか否かを判別する（ステップＳ１０）。
【００５５】
制御装置３０は、カセッテの前登録処理の終了指示が入力部３４を介して入力されていないと判別した場合（ステップＳ１０；Ｎｏ）、ステップＳ１において入力されたモードは二人用モードであるか否かを判別する（ステップＳ１１）。
【００５６】
制御装置３０は、二人用モードでないと判別した場合には（ステップＳ１１；Ｎｏ）、ステップＳ１に戻り、二人用モードであると判別した場合には（ステップＳ１１；Ｙｅｓ）、ステップＳ５において対応付けした撮影オーダ情報に応じて乳房画像が撮影された際に生成された撮影実施情報に含まれる曝射完了信号を受信したか否かを判別する（ステップＳ１２）。
【００５７】
制御装置３０は、撮影実施情報に含まれる曝射完了信号を受信していないと判別した場合（ステップＳ１２；Ｎｏ）、曝射完了信号を受信するまで待機し、撮影実施情報に含まれる曝射完了信号を受信したと判別した場合（ステップＳ１２；Ｙｅｓ）、ステップＳ１に戻り、引き続き撮影オーダ情報とカセッテＩＤの対応付けを行う。
【００５８】
制御装置３０は、カセッテの前登録処理の終了指示が入力部３４を介して入力されたと判別した場合（ステップＳ１０；Ｙｅｓ）、本処理を終了する。
【００５９】
以上のように、本実施の形態によれば、撮影オーダ情報とカセッテＩＤとが対応付けられて記憶された後、当該カセッテＩＤに対応するカセッテを用いて乳房画像が撮影された際に生成され撮影装置１０から送信される撮影実施情報を受信するまで、撮影オーダ情報とカセッテＩＤとの対応付けを禁止させることができるため、使用カセッテは常に１個のみとなり、カセッテ使用順番の取違えを生じることがなくなる。従って、撮影装置と制御装置との連携の為、制御装置における複数の撮影オーダ情報選択を受け付けないモード、及び、撮影全体のフロー効率化（作業動線短縮化）の為の制御装置における複数の撮影オーダ情報選択を許容するモード、の両方が適宜選択可能となり、撮影態様（一般撮影又は乳房撮影）に応じて適宜相応しいモードを選択でき、放射線科全体効率を高めると共に、部位取り違えを予防可能とすることができる。
【００６０】
特に、撮影装置１０を担当する撮影技師と制御装置３０を担当する撮影技師との２人の撮影技師が協同して一人の患者に対して複数の部位を撮影する乳房画像の撮影を行う場合、撮影画像からではカセッテの取り違いを判別しにくい左右の乳房画像において撮影順番とカセッテの使用順番を間違えると、カセッテの取り違いに気付かず、部位取り違えの手術等の処置が行われるという恐れを防止でき、画像生成システムの信頼性の低下を防止できる。
【００６１】
また、本発明は、上記実施の形態の内容に限定されるものではなく、本発明の主旨を逸脱しない範囲で適宜変更可能である。
【図面の簡単な説明】
【００６２】
【図１】本実施の形態における画像生成システム１のシステム構成である。
【図２】撮影装置１０の内部構成である。
【図３】制御装置３０の内部構成である。
【図４】本実施の形態における前登録処理のフローチャートである。
【符号の説明】
【００６３】
１  画像生成システム
１０  撮影装置
１１  制御部
１２  記憶部
１３  入力部
１４  表示部
１５  通信部
１６  ＩＤ読取部
１７  撮影部
２０  読取装置
３０  制御装置
３１  制御部
３２  記憶部
３２ａ  オーダファイル
３２ｂ  画像ＤＢ
３３  ＲＡＭ
３４  入力部
３５  表示部
３６  通信部
４０  ＨＩＳ
５０  ＲＩＳ
Ｎ  通信ネットワーク
【図１】
2008073468.tif 000003
【図２】
2008073468.tif 000004
【図３】
2008073468.tif 000005
【図４】
2008073468.tif 000006